(57)【特許請求の範囲】
【請求項１】
自動販売機本体前面に備えた外扉に矩形状の透明パネルに商品サンプルを表示する表示シートを挿入した商品サンプル表示部と、前記商品サンプル表示部ごとに備えた商品選択ボタンと、前記商品サンプル表示部の後方に個別に配置し後方から独立して個々に照明可能な照明手段とを備えた自動販売機において、任意の隣合う複数の前記商品サンプル表示部を一緒の商品訴求表示部とする場合に前記商品訴求表示部となる前記商品サンプル表示部の前記照明手段を広告灯として設定する広告灯設定手段と、前記広告灯設定手段により広告灯となる前記照明手段が変更された場合に新たに前記商品訴求表示部となる前記商品サンプル表示部に対応する前記商品選択ボタンを無効にすると共に商品が入ったコラムと前記商品選択ボタンとの対応関係を再設定するための選択ボタン配列設定手段とを有し、前記広告灯設定手段により広告灯として設定された前記照明手段が広告灯として他の前記照明手段とは異なった動作をすることを特徴とする自動販売機。
【請求項２】
広告灯設定手段により広告灯として設定された照明手段をランダムに点灯あるいは消灯する広告灯イルミーション設定手段を備え、前記広告灯イルミネーション設定手段に応じて、前記広告灯設定手段により広告灯として設定された前記照明手段が商品訴求表示部をイルミネーション表示することを特徴とする請求項１に記載の自動販売機。
【請求項３】
広告灯設定手段により広告灯として設定された照明手段のイルミネーションを行う時間帯を設定する広告灯イルミネーション時間帯設定手段を備え、前記広告灯イルミネーション時間帯設定手段により設定された時間帯においては前記広告灯イルミネーション設定手段に設定されているイルミネーションにて前記広告灯設定手段により広告灯として設定された前記照明手段を制御することを特徴とした請求項２に記載の自動販売機。
【請求項４】
広告灯設定手段により広告灯として設定された照明手段の照度を設定可能な広告灯照度設定手段を備え、前記広告灯照度設定手段の設定に応じて、前記広告灯設定手段により広告灯として設定された前記照明手段の照度を制御することを特徴とした請求項１から３のいずれか１項に記載の自動販売機。
【請求項５】
時間帯を設定し、その時間帯における広告灯設定手段により広告灯として設定された照
明手段の照度を設定する広告灯時間帯照度設定手段を備え、前記広告灯時間帯照度設定手段により設定された時間帯に設定されている照度にて前記広告灯設定手段により広告灯として設定された前記照明手段を制御することを特徴とした請求項１から４のいずれか１項に記載の自動販売機。
【請求項６】
利用者がいることを検知する人感検知手段を備え、前記人感検知手段にて利用者がいることを検知した場合には、広告灯設定手段により広告灯として設定された照明手段の照度を明るく制御することを特徴とした請求項１から５のいずれか１項に記載の自動販売機。
【発明の詳細な説明】
【技術分野】
【０００１】
本発明は、自動販売機の外扉に商品見本を表示した自動販売機に関するものである。
【背景技術】
【０００２】
従来、本体前面に前面を透明パネルで覆われた展示室を形成し、該展示室内に商品サンプルを展示するとともに、展示室内の後壁前面に、販売促進に関するロゴマークや風景、パターンあるいは販売商品等の模様の印刷を施した広告板を配設してなる自動販売機の展示装置が知られている。
【０００３】
そしてこの種の展示室内には、蛍光灯等による照明装置が設置され、商品サンプル及び広告板を照明するようになっている。
【０００４】
また最近では、商品サンプルを光透過性の材質にて中空状に形成し、この商品サンプルを内部から照明して商品サンプル自体が明るく発光するようにした展示装置もある。
【特許文献１】実開昭６２−１４６２８２号公報
【特許文献２】特開昭６３−２９１１９０号公報
【発明の開示】
【発明が解決しようとする課題】
【０００５】
しかしながら、前記従来の構成では、広告部は所定の位置に設けてられており、決められた広告部の範囲で、広告板を設けることしかできず、広告板が入れ替わっても顧客へのアピールが変わり映えしないという課題を有していた。
【０００６】
本発明は、前記従来の課題を解決するもので、商品見本の照明手段の一部を用いて広告部の顧客へのアピールを高めることができる自動販売機を提供することを目的とする。
【課題を解決するための手段】
【０００７】
前記従来の課題を解決するために、本発明は、自動販売機本体前面に備えた外扉に矩形状の透明パネルに商品サンプルを表示する表示シートを挿入した商品サンプル表示部と、前記商品サンプル表示部ごとに備えた商品選択ボタンと、前記商品サンプル表示部の後方に個別に配置し後方から独立して個々に照明可能な照明手段とを備えた自動販売機において、任意の隣合う複数の前記商品サンプル表示部を一緒の商品訴求表示部とする場合に前記商品訴求表示部となる前記商品サンプル表示部の前記照明手段を広告灯として設定する広告灯設定手段と、前記広告灯設定手段により広告灯となる前記照明手段が変更された場
合に新たに前記商品訴求表示部となる前記商品サンプル表示部に対応する前記商品選択ボタンを無効にすると共に商品が入ったコラムと前記商品選択ボタンとの対応関係を再設定するための選択ボタン配列設定手段とを有し、前記広告灯設定手段により広告灯として設定された前記照明手段が広告灯として他の前記照明手段とは異なった動作をするものである。
【０００８】
これによって、商品訴求表示部（広告部）の数、大きさ、位置を変更でき、変更した場合に新たに商品訴求表示部（広告部）となる商品サンプル表示部に対応する商品選択ボタンを無効にすると共に商品が入ったコラムと商品選択ボタンとの対応関係を再設定することでき、また、商品訴求表示部（広告部）の照明手段に商品サンプルの照明手段とは異なった動作をさせて、商品訴求表示部（広告部）の顧客へのアピールを高めることができる。
【発明の効果】
【０００９】
本発明の自動販売機は、商品訴求表示部（広告部）の数、大きさ、位置を変更でき、変更した場合に新たに商品訴求表示部（広告部）となる商品サンプル表示部に対応する商品選択ボタンを無効にすると共に商品が入ったコラムと商品選択ボタンとの対応関係を再設定することでき、また、商品訴求表示部（広告部）の照明手段に商品サンプルの照明手段とは異なった動作をさせて、商品訴求表示部（広告部）の顧客へのアピールを高めることができる。
【発明を実施するための最良の形態】
【００１０】
請求項１に記載の発明は、自動販売機本体前面に備えた外扉に矩形状の透明パネルに商品サンプルを表示する表示シートを挿入した商品サンプル表示部と、前記商品サンプル表示部ごとに備えた商品選択ボタンと、前記商品サンプル表示部の後方に個別に配置し後方から独立して個々に照明可能な照明手段とを備えた自動販売機において、任意の隣合う複数の前記商品サンプル表示部を一緒の商品訴求表示部とする場合に前記商品訴求表示部となる前記商品サンプル表示部の前記照明手段を広告灯として設定する広告灯設定手段と、前記広告灯設定手段により広告灯となる前記照明手段が変更された場合に新たに前記商品訴求表示部となる前記商品サンプル表示部に対応する前記商品選択ボタンを無効にすると共に商品が入ったコラムと前記商品選択ボタンとの対応関係を再設定するための選択ボタン配列設定手段とを有し、前記広告灯設定手段により広告灯として設定された前記照明手段が広告灯として他の前記照明手段とは異なった動作をすることにより、商品訴求表示部（広告部）の数、大きさ、位置を変更でき、変更した場合に新たに商品訴求表示部（広告部）となる商品サンプル表示部に対応する商品選択ボタンを無効にすると共に商品が入ったコラムと商品選択ボタンとの対応関係を再設定することでき、また、商品訴求表示部（広告部）の照明手段に商品サンプルの照明手段とは異なった動作をさせて、商品訴求表示部（広告部）の顧客へのアピールを高めることができる。
【００１１】
請求項２に記載の発明は、請求項１に記載の発明に、さらに、広告灯設定手段により広告灯として設定された照明手段をランダムに点灯あるいは消灯する広告灯イルミーション設定手段を備え、前記広告灯イルミネーション設定手段に応じて、前記広告灯設定手段により広告灯として設定された前記照明手段が商品訴求表示部をイルミネーション表示することにより、従来のように蛍光灯などの照明装置にて点灯させるだけで顧客へのアピールが少ないという課題を解決し、商品訴求表示部を点滅するなどしてアピールすることができる。
【００１２】
請求項３に記載の発明は、請求項２に記載の発明に、さらに、広告灯設定手段により広告灯として設定された照明手段のイルミネーションを行う時間帯を設定する広告灯イルミネーション時間帯設定手段を備え、前記広告灯イルミネーション時間帯設定手段により設
定された時間帯においては前記広告灯イルミネーション設定手段に設定されているイルミネーションにて前記広告灯設定手段により広告灯として設定された前記照明手段を制御することにより、オペレータの好みに応じて、イルミネーション表示を行う時間を設定することができる。
【００１３】
請求項４に記載の発明は、請求項１から３のいずれか一項に記載の発明に、さらに、広告灯設定手段により広告灯として設定された照明手段の照度を設定可能な広告灯照度設定手段を備え、前記広告灯照度設定手段の設定に応じて、前記広告灯設定手段により広告灯として設定された前記照明手段の照度を制御することによって、明るく見やすい自動販売機の設置場所などには照明手段の照度を低くし、暗く広告灯が見にくい設置先、広告灯を更に明るくし、利用者にアピールしたい場合には照明の照度を高くし、設置先に合わせた照明手段の照度を任意に設定することができ、無駄な消費電力を削減することができ、利用者へのアピールを高めることができる。
【００１４】
請求項５に記載の発明は、請求項１から４のいずれか１項に記載の発明に、さらに、時間帯を設定し、その時間帯における広告灯設定手段により広告灯として設定された照明手段の照度を設定する広告灯時間帯照度設定手段を備え、前記広告灯時間帯照度設定手段により設定された時間帯に設定されている照度にて前記広告灯設定手段により広告灯として設定された前記照明手段を制御することにより、販売が少ない時間帯においては、照度を低くすることができ、無駄な消費電力を削減できることができる。また、販売が多い時間帯においては、照度を高くすることができ、利用者へのアピールを高めることができる。
【００１５】
請求項６に記載の発明は、請求項１から５のいずれか１項に記載の発明に、さらに、利用者がいることを検知する人感検知手段を備え、前記人感検知手段にて利用者がいることを検知した場合には、広告灯設定手段により広告灯として設定された照明手段の照度を明るく制御することにより、照度が低く設定されている場合でも、利用者が自動販売機の前にいる場合には照度を高くすることで、利用者へのアピールを高められ、いない場合での消費電力を削減することができる。
【００１６】
（実施の形態１）
図１は、本発明の実施の形態１における自動販売機の外観を示した斜視図である。図２は同実施の形態１による自動販売機の機能ブロック図である。図３は、同実施の形態の自動販売機の動作を示すフローチャートである。図４は、同実施の形態の自動販売機の広告灯変更の説明図である。
【００１７】
図１において本発明の実施の形態の自動販売機１は、本体部２前面に外扉３を有している。外扉３に各商品の外観等が示されている商品サンプル表示部４と、各商品サンプル表示部４をセットできる商品展示スペース５と、商品展示スペース５を照明する照明手段６（図示せず）と、販売可能ランプや売切れランプ等の商品関連ランプを内包し、商品を購入する際に押す商品選択ボタン７と、硬貨等を投入する硬貨投入口８と、投入した金額等を表示する金額表示器９と、選択した商品を取出す商品取出口１０、広告灯１１とが設けられている。
【００１８】
照明手段６は商品内容を表す商品サンプル表示部４を後方から照らし、各商品サンプル表示部４ごとに設けられている。
【００１９】
広告灯は照明手段６であり、２つのＬＥＤが上下配置し、１つの商品サンプル表示部４の後方に配置され、照明が隣合う商品サンプル表示部４側へ洩れないように区画形成されている。
【００２０】
また、商品サンプルとして商品を印刷した表示シートが使用され、この表示シートを商品サンプル表示部４を構成する透明パネル内に挿入することで商品サンプル表示部４を形成している。
【００２１】
図１のように、隣合う２つの商品サンプル表示部４に跨って、他の商品サンプル表示部４よりも大きい１枚の表示シートを挿入し、利用者に最も訴求したい商品を、利用者が商品サンプルを見て購入する領域内に表示させる。
【００２２】
図２において広告灯設定手段２１は商品サンプル表示部４毎に設けられた照明手段６を広告灯として任意に複数設定できる。広告灯記憶手段２２は広告灯設定手段２１により設定された照明手段６の番号を記憶する。選択ボタン配列設定手段２３は商品サンプル表示部４の商品が入ったコラムに対応する商品選択ボタン７を設定する。選択ボタン配列記憶手段２４は選択ボタン配列設定手段２３により設定された商品選択ボタン７の配列を記憶する。
【００２３】
なお、広告灯記憶手段２２にて設定された商品サンプル表示部４の照明手段６は広告灯として機能するため、広告灯として設定された照明手段６に対応する商品選択ボタン７は、機能しない。照明手段配列設定手段２５はコラムに対応する照明手段６を設定する。照明手段配列記憶手段２６は照明手段配列設定手段２５により設定された照明手段６の配列を記憶する。
【００２４】
演算制御部４０ａは、広告灯設定手段２１にて広告灯エリアとする商品サンプル表示部４の照明手段６を任意に設定し、広告灯記憶手段２２に記憶させる。続いて、選択ボタン配列設定手段２３にて、商品サンプル表示部４の商品が入ったコラムに対応する商品選択ボタン７を設定し、選択ボタン配列記憶手段２４に記憶させる。続いて、照明手段配列設定手段２５によりコラムに対応する照明手段６を設定し、照明手段配列記憶手段２６に記憶させる。
【００２５】
以上のように構成された自動販売機について、以下その動作を図３のフローチャートをもとにして説明する。なお、このフローチャートは図４に示した現在広告灯として設定されている３１，３２番の照明手段６を１２、１３、２８、２９番の照明手段６に変更する例を示したものである。
【００２６】
まず、演算制御部４０ａは、広告灯設定手段２１にて商品サンプル表示部４に対応する１２、１３、２８、２９番の照明手段６（図４参照）を広告灯エリアと設定し（ＳＴＥＰ１）、広告灯記憶手段２２に記憶させる（ＳＴＥＰ２）。
【００２７】
続いて、演算制御部４０ａは、１２、１３、２８、２９番の照明手段６を広告灯として設定したので、１２、１３、２８、２９番の選択ボタンが使用不可となるため、選択ボタン配列設定手段２３により図４のようにコラムに対応して、選択ボタン配列を変更し（ＳＴＥＰ３）、選択ボタン配列記憶手段２４に記憶させる（ＳＴＥＰ４）。また、１２、１３、２８、２９番の照明手段６を広告灯として設定したので、照明手段配列設定手段２５により、図４のように照明手段をコラム番号に対応して、照明手段６の配列を変更し（ＳＴＥＰ５）、照明手段配列記憶手段２６に記憶させる（ＳＴＥＰ６）。
【００２８】
以上のように本実施の形態１の自動販売機によれば、任意の隣合う複数の商品サンプル表示部４を一緒の商品訴求表示部１１とする場合に商品訴求表示部１１となる商品サンプル表示部４の照明手段６を広告灯として設定する広告灯設定手段２１と、広告灯設定手段２１により広告灯となる照明手段６が変更された場合に新たに商品訴求表示部１１となる商品サンプル表示部４に対応する商品選択ボタン７を無効にすると共に商品が入ったコラ
ムと商品選択ボタン７との対応関係を再設定するための選択ボタン配列設定手段２３とを有し、広告灯設定手段２１により広告灯として設定された照明手段６が広告灯として他の照明手段６とは異なった動作をすることにより、商品訴求表示部１１（広告部）の数、大きさ、位置を変更でき、変更した場合に新たに商品訴求表示部１１（広告部）となる商品サンプル表示部４に対応する商品選択ボタン７を無効にすると共に商品が入ったコラムと商品選択ボタン７との対応関係を再設定することでき、また、商品訴求表示部１１（広告部）の照明手段６に商品サンプルの照明手段６とは異なった動作をさせて、商品訴求表示部１１（広告部）の顧客へのアピールを高めることができる。また、販売促進を図ることができる。
【００２９】
また、商品選択ボタン７と照明手段６は同じコラムに対応するのが基本であるので、照明手段配列設定手段２５をなくすことができ、選択ボタン配列設定２３の設定を照明手段６に反映することで、設定を容易にすることができる。
【００３０】
図４は商品訴求表示部を広告的な表示部として大きくアピールする場合の表示であり、コラム番号および選択ボタンとを連動させて訴求表示した商品をそのまま選択できるようにしていない。
【００３１】
（実施の形態２）
図５は、本発明の実施の形態２における自動販売機の機能ブロック図である。図６、図７は、同実施の形態の自動販売機の動作を示すフローチャートである。
【００３２】
図５において、広告灯イルミネーション設定手段３１は広告灯設定手段２１により広告灯として設定された照明手段６を所定のイルミネーションを設定できる。広告灯イルミネーション記憶手段３２は広告灯イルミネーション設定手段３１にて設定されたイルミネーションパターンを記憶する。
【００３３】
広告灯イルミネーション時間設定手段３３は広告灯イルミネーション設定手段にて設定したイルミネーションを行う時間帯を設定する。広告灯イルミネーション時間帯記憶手段３４は広告灯イルミネーション時間帯設定手段３３にて設定した時間帯を記憶する。広告灯照度設定手段３５は広告灯設定手段２１により設定された照明手段６の照度を設定できる。
【００３４】
広告灯照度記憶手段３６は広告灯照度設定手段３５にて設定された照度レベルを記憶する。広告灯時間帯照度設定手段３７は時間帯、時間帯における広告灯の照度レベルを設定できる。広告灯時間帯照度記憶手段３８は広告灯時間帯照度設定手段３７にて設定された時間、照度レベルを記憶する。人感検知手段３９は自動販売機に顧客がいるかを検知する。
【００３５】
演算制御部４０ｂは、広告灯イルミネーション設定手段３１に広告灯設定手段２１により設定された照明手段６を所定のイルミネーションを設定し、広告灯イルミネーション記憶手段３２に記憶させる。また、広告灯イルミネーション時間帯設定手段３３にて広告灯イルミネーション設定を行う時間帯を設定し、広告灯イルミネーション時間帯記憶手段３４に記憶させる。
【００３６】
また、広告灯照度設定手段３５に広告灯設定手段２１により広告灯として設定された照明手段６の照度を設定し、広告灯照度記憶手段３６に記憶させる。また、広告灯時間帯照度設定手段３７にて時間帯、時間帯における広告灯の照度レベルを設定し、広告灯時間帯照度記憶手段３８に記憶させる。そして、広告灯記憶手段２２に記憶している広告灯として設定された照明手段６を広告灯として動作させ、広告灯イルミネーション記憶手段３２
、広告灯イルミネーション時間帯記憶手段３４、広告灯照度記憶手段３６、広告灯時間帯照度記憶手段３８、人感検知手段３９の設定条件、状況に応じて変化させる。
【００３７】
以上のように構成された自動販売機について、以下その動作を図６、図７のフローチャートをもとにして説明する。
【００３８】
まず、演算制御部４０ｂは、広告灯イルミネーション設定手段３１に広告灯設定手段２１により広告灯として設定された照明手段６で動作させるイルミネーションパターンをイルミネーションパターン１に設定し（ＳＴＥＰ７）、広告灯イルミネーション記憶手段３２に記憶させる（ＳＴＥＰ８）。また、広告灯イルミネーション時間帯設定手段３３は広告灯イルミネーション設定手段３１にて設定したイルミネーションを実施する時間帯１７時〜２２時を設定し（ＳＴＥＰ９）、広告灯イルミネーション時間帯記憶手段３４に記憶させる（ＳＴＥＰ１０）。また、広告灯照度設定手段３５に広告灯設定手段２１により広告灯として設定された照明手段６の照度を照度レベルＭに設定し（ＳＴＥＰ１１）、広告灯照度記憶手段３６に記憶させる（ＳＴＥＰ１２）。
【００３９】
また、広告灯時間帯照度設定手段３７にて時間帯１６時〜２４時、時間帯における広告灯の照度を照度レベルＬに設定し（ＳＴＥＰ１３）、広告灯時間帯照度記憶手段３８に記憶させる（ＳＴＥＰ１４）。
【００４０】
続いて、演算制御部４０ｂは、広告灯記憶手段２２に記憶している広告灯として設定された照明手段６を広告灯として動作させ、人感検知手段３９により自動販売機の前に顧客がいるかを判定し（ＳＴＥＰ１５）、顧客がいる場合には広告灯となっている照明手段６の照度を所定の照度Ｊにて制御する。
【００４１】
顧客がいない場合には、現在時刻が広告灯時間帯照度記憶手段３８にて記憶している１６時〜２４時の間であるかを判定し（ＳＴＥＰ１６）、時間内である場合には広告灯時間帯照度設定記憶手段３８にて記憶している照度Ｌとし、時間内でない場合には広告灯照度記憶手段３６にて記憶している照度Ｍとする（ＳＴＥＰ１７）。続いて、現在時刻が広告灯イルミネーション時間帯記憶手段３４により記憶している時間帯かを判定し（ＳＴＥＰ１８）、時間帯である場合には広告灯イルミネーション記憶手段３４にて記憶しているイルミネーションパターン１を前述の照度にて動作させる。時間帯でない場合にはイルミネーションは行わず、前述の照度にて動作させる。
【００４２】
以上のように本実施の形態２の自動販売機によれば、広告灯イルミネーション設定手段３１に応じて、広告灯に設定された照明手段６をイルミネーションすることにより、従来のように広告灯を蛍光灯などの照明装置にて点灯させるだけでアピールが少ないという課題を解決し、点滅するなどしてアピールすることができる。
【００４３】
また、広告灯イルミネーション時間帯設定手段３３により設定された時間帯であれば広告灯イルミネーション設定手段３１にて設定されているイルミネーションにて広告灯に設定された照明手段６を制御することにより、オペレータの好みに応じて、広告灯のイルミネーションを行う時間を設定することができる。
【００４４】
また、広告灯照度設定手段３３の設定に応じて、広告灯として設定された照明手段６の照度を制御することにより、明るく広告灯が見やすい設置先などには広告灯の照明手段６の照度を低くし、暗く広告灯が見にくい設置先、広告部を顧客にアピールしたい場合には広告灯の照度を高くし、設置先に合わせた広告灯に設定された照明手段６の照度を任意に設定することができ、無駄な消費電力を削減することができ、顧客へのアピールを高めることができる。
【００４５】
また、広告灯時間帯照度設定手段３７により設定された時間帯であれば、設定されている照度にて広告灯に設定された照明手段６を制御することにより、販売が少ない時間帯においては、広告灯の照度を低くすることができ、無駄な消費電力を削減できることができる。また、販売が多い時間帯においては、広告灯の照度を高くすることができ、顧客へのアピールを高めることができる。
【００４６】
また、人感検知手段３９にて顧客がいることを検知した場合には、広告灯として設定された照明手段６の照度を制御することにより、広告灯の照度が低く設定されている場合でも、顧客が自動販売機の前にいる場合には広告灯の照度を高くすることで、顧客へのアピールを高められ、顧客がいない場合での消費電力を削減することができる。
【産業上の利用可能性】
【００４７】
以上のように、本発明にかかる自動販売機は、広告部の大きさ、位置、照度、動作パターンを制御することにより、広告部のアピール力を高め、省エネを図ることのできる自動販売機を提供する。
【図面の簡単な説明】
【００４８】
【図１】本発明の実施の形態１における自動販売機の外観を示した斜視図
【図２】同実施の形態の自動販売機の機能ブロック図
【図３】同実施の形態の自動販売機の動作を示すフローチャート
【図４】同実施の形態の自動販売機の広告灯変更の説明図
【図５】本発明の実施の形態２における自動販売機の機能ブロック図
【図６】同実施の形態の自動販売機の動作を示すフローチャート
【図７】同実施の形態の自動販売機の動作を示すフローチャート
【符号の説明】
【００４９】
１    自動販売機
２    本体部
３    外扉
４    商品サンプル表示部
５    商品展示スペース
６    照明手段
７    商品選択ボタン
８    硬貨投入口
９    金額表示器
１０  商品取出口
１１  商品訴求表示部
２１  広告灯設定手段
２２  広告灯記憶手段
２３  選択ボタン配列設定手段
２４  選択ボタン配列記憶手段
２５  照明手段配列設定手段
２６  照明手段配列記憶手段
３１  広告灯イルミネーション設定手段
３２  広告灯イルミネーション記憶手段
３３  広告灯イルミネーション時間設定手段
３４  広告灯イルミネーション時間帯記憶手段
３５  広告灯照度設定手段
３６  広告灯照度記憶手段
３９  人感検知手段
４０ａ，４０ｂ  演算制御部
【図２】
0005228497.tif 000002
【図３】
0005228497.tif 000003
【図５】
0005228497.tif 000004
【図６】
0005228497.tif 000005
【図７】
0005228497.tif 000006
【図１】
0005228497.tif 000007
【図４】
0005228497.tif 000008